(57)【要約】【課題】クラブケースの本来の機能を有効に利用することができるゴルフバッグ用のクラブケースを提供する。【解決手段】ゴルフバッグの仕切内部に、全体が収納される筒状クラブケースであって、そのクラブケース内には、１〜５本のクラブがセットとして収納可能であることを特徴とする。【効果】数本のクラブをゴルフバッグからセットとして簡単に取り出し、ケースごと片手で容易に持ち運ぶことができる。また、使用後はケースごとゴルフバッグに容易に戻すことができる。【選択図】    図１
2015019774.tif 000002
【特許請求の範囲】
【請求項１】
ゴルフバッグの仕切内部に、全体が収納される筒状クラブケースであって、そのクラブケース内には、１〜５本のクラブがセットとして収納可能であることを特徴とするゴルフバッグ用のクラブケース。
【請求項２】
ゴルフバッグの外側又は内部の仕切りに掛止めする掛止部を備えたことを特徴とする請求項１記載のゴルフバッグ用のクラブケース。
【発明の詳細な説明】
【技術分野】
【０００１】
本発明は、数本のゴルフクラブをセットとして収納し、ゴルフバッグ本体から簡単に取り出して持ち運びできるように構成したゴルフバッグ用のクラブケースに関する。
【背景技術】
【０００２】
従来は、特にセルフプレーの場合、ゴルフバッグから取り出した複数本のクラブを束にして手に持って、コース内のボール位置へ行きプレーしていた。そして、プレーするたびにコース上に使用しないクラブを置いていたため、クラブが汚れたり、雨天の場合はグリップが濡れたりしていた。また、その都度クラブを拾い上げなければならないため、スムーズなプレーに支障があった。さらに、クラブをコース上に置き忘れたりすることもあった。
【０００３】
特に、グリーン周りでは、ボールの状況やアプローチの仕方によって、使用するクラブが異なってくるが、ボールに近づいて見ないと状況がわからず、慌ててゴルフバッグまでクラブを取り換えに戻る場合が往々にしてあった。
【先行技術文献】
【特許文献】
【０００４】
【特許文献１】特開２００５−２２４５４６
【特許文献２】ＰＣＴ  Ｐｕｂ．Ｎｏ；ＷＯ２００９／１１１２３７
【０００５】
上記特許文献のクラブケースは、いずれもゴルフバッグの外周りに一体的にセットされるクラブケースであって、セルフプレーなどで多用されるカートには外側から一体的にバンド締めされ固定されるため、プレー毎にクラブケースのみをゴルフバッグから外してボール位置へ持ち運ぶことはできないもので、プレー中にゴルフケースのみを自由且つ有効に活用することはできないものであった。
【発明の概要】
【発明が解決しようとする課題】
【０００６】
本発明は、かかる実情に鑑み、クラブケースの本来の機能を有効に利用することができるゴルフバッグ用のクラブケースを提供することを課題としたものである。
【課題を解決するための手段】
【０００７】
上記課題を解決するために、本発明は、ゴルフバッグの仕切内部に、全体が収納される筒状クラブケースであって、そのクラブケース内には、１〜５本のクラブがセットとして収納可能であることを特徴とするゴルフバッグ用のクラブケースを提供するものである。
【０００８】
また、ゴルフバッグの外枠又は内部の仕切に掛止めする掛止部を備えることにより、より便利なものとなる（請求項２）。
【発明の効果】
【０００９】
本発明に係るクラブケースによれば、数本のクラブをゴルフバッグからセットとして簡単に取り出し、ケースごと片手で容易に持ち運ぶことができる。また、使用後はケースごとゴルフバッグに容易に戻すことができる。
【００１０】
特に、グリーン周りでは、使用するクラブの種類が限定されるため、グリーン周り用のクラブをゴルフバッグ内の本発明に係るクラブケースに入れおき、ボールに近づき状況を確認しなくとも、このクラブケースを持って行けば状況に応じて適切なクラブを選んで使用することができる。かくして、プレーをスムーズに進行でき、プレーヤーに安心感をも与えることができる。
【００１１】
また、スタート前にパターやアプローチの練習に向かう際にも、本発明に係るクラブケースを使用することができ便利である。
【図面の簡単な説明】
【００１２】
【図１】本発明の一実施例で、ゴルフバッグの仕切内に本発明に係るクラブケースの全体が収納される様子を説明した図である。
【図２】図１におけるクラブケースが収納された状態を示した一部説明図である。
【図３】本発明のさらに別の実施例で、ゴルフバッグの外側に掛止部を掛止した例を説明する一部説明図である。
【図４】本発明に係るクラブケースの他の実施例で、可動式スタンドを装着したクラブケースの外観図（同図（ａ））と、スタンドの装着構造を説明した部分説明図（同図（ｂ））である。
【発明を実施するための形態】
【００１３】
ゴルフバッグとクラブケースの関係は、クラブケースがゴルフバッグの仕切内部にすっぽりと全体が納められ、そのクラブケースには１〜５本程度のセットとしてのクラブが収納されている。これによりカートにゴルフバッグを装備する際は、これまで通り何の支障もなくバンド止めされる。
【実施例１】
【００１４】
図１は、本発明の一実施例で、ゴルフバッグの仕切内に本発明に係るクラブケースの全体が収納される様子を説明した図である。
少なくとも１本以上（１〜５本程度）のゴルフクラブＧを収納して持ち運ぶためのクラブケースＣであって、略筒状のクラブ収納部１を備えている。筒の断面形状は、半円形状の他、楕円形状、多角形状等であっても良く、特定されるものではない。また、ケースの材質についても、布製や樹脂製など、さらに、その硬、軟も特定されない。クラブケースＣは収納したクラブＧと共に、その他のクラブＧを収納したゴルフバッグＢから容易に出し入れすることができる。
【００１５】
クラブケースＣには取っ手２を設け、片手で容易に持ち運ぶことができると共に、クラブケースＣは取っ手２ごとゴルフバッグＢ内に収納される（図２）。従って、取っ手２は柔軟な素材で形成されていることが好ましい。
【実施例２】
【００１６】
また、クラブケースＣには掛止部（フックなど）３を設けることができる。図３はその実施例を示したもので、フック３はバッグＢ内部の仕切片４に掛止されるものであっても良く、或いはゴルフバックＢの外枠５を介して外側に掛止されてもよい。なお図中９は、クラブの汚れを落とすタオルやブラシなどを取り付けられるようにするための孔である。
【実施例３】
【００１７】
一方、図４（ａ）及び同図（ｂ）に示すごとく、クラブケースＣに可動式スタンド６を装着すれば、クラブケースＣを斜めに保持できるので、コース上に直に置く場合と比較して、ケースＣの汚れを防ぐことができ、クラブＧの出し入れも楽になる。加えて、クラブケースＣの底部を革張り等して少し分厚く構成し、そこに水抜穴を設けておけば、ケース内部に付着した水分を適宜排水するのに便利である。
【００１８】
スタンド６は、例えば、図４（ａ）のごとく、コの字の形状をして可動式であり、使用しない時は、同図（ｂ）に示すように退避位置に移動させ、クラブケースＣ本体に設けた溝部７に収納されるようにする。また、溝部７には、スタンド６が不意に飛び出さないようストッパー用突起部８を設けるか、マジックテープ（商品名）で固定できるようにしておく。これにより、クラブケースＣをゴルフバッグＢから出し入れする際に邪魔にならないようにすることができる。
【００１９】
なお、スタンド６を使用する場合は、スタンド６を引き出して展開位置に移動させ、図４（ａ）に示すように地上に設置する。また、スタンド６が開き過ぎないように、スタンド６の回転部等に開き角度を規制するストッパーを設けるか、スタンド６とクラブケースＣ本体との間にバンドを付けて、スタンド６の開き量を規制することができる。
【産業上の利用可能性】
【００２０】
グリーン周りでは、使用するクラブの種類が限定されるため、グリーン周り用のクラブをゴルフバッグ内の本発明に係るクラブケースに入れおき、ボールに近づき状況を確認しなくとも、このクラブケースを持って行けば状況に応じて適切なクラブを選んで使用することができる。かくして、プレーをスムーズに進行でき、プレーヤーに安心感をも与えることができる。
【００２１】
また、スタート前にパターやアプローチの練習に向かう際にも、本発明に係るクラブケースを使用することができ便利である。
【符号の説明】
【００２２】
Ｂ  ゴルフバッグ
Ｃ  クラブケース
Ｇ  ゴルフクラブ
１  クラブ収納部
２  取っ手
３  掛止部（フックなど）
４  仕切片
５  外枠
６  スタンド
７  溝部
８  ストッパー用突起部
９  タオルやブラシなどの取付用の穴
【図１】
2015019774.tif 000003
【図２】
2015019774.tif 000004
【図３】
2015019774.tif 000005
【図４】
2015019774.tif 000006